(57)【要約】【課題】入力信号を信号処理して放送信号を生成し、その放送信号を送信アンテナから車載アンテナに向けて送信する車両用信号処理装置において、入力信号に異常が生じたときにでも、送信アンテナから放送信号を送信できるようにする。【解決手段】車載用信号処理装置は、受信アンテナ３からの受信信号から特定放送チャンネルのデジタルテレビ放送を選局・復調し、復調した信号から再送信用チャンネルのアナログテレビ放送信号を生成してアンテナ４１から再送信させる、再送信機３０を備える。再送信機３０には、選局・復調回路３６とは別に、試験信号を生成する試験信号生成回路３９が設けられ、制御回路３８は、リモコン送信機８から入力される切り換え信号に従い、選局・復調回路３６にて復調された信号にてアナログテレビ放送信号を生成するか、試験信号にてアナログテレビ放送信号を生成するかを切り換える。【選択図】図４
2011082968.tif 000002
【特許請求の範囲】
【請求項１】
入力信号を信号処理することで、車両に搭載された受信装置にて復調可能な放送信号を生成する信号処理手段と、
前記信号処理手段にて生成された放送信号を、前記受信装置に接続された車載アンテナに向けて送信する送信アンテナと、
を備えた車載用信号処理装置において、
前記信号処理手段にて生成される放送信号とは内容が異なるものの、前記放送信号と同一規格で、前記受信装置にて復調可能な試験信号を生成する試験信号生成手段と、
外部から入力される切換信号に従い、前記送信アンテナに対し前記信号処理手段にて生成された放送信号を出力するか、前記試験信号生成手段にて生成された試験信号を出力するかを切り換える制御手段と、
を備えたことを特徴とする車載用信号処理装置。
【請求項２】
所定の放送電波を受信する受信アンテナと、
該受信アンテナにて受信された受信信号の中から特定の放送信号を選局して映像若しくは音声信号を復調する選局復調手段と、
を備え、前記信号処理手段は、前記選局復調手段にて復調された映像若しくは音声信号を、前記選局復調手段が選局復調した放送信号とは規格が異なる放送信号を生成することを特徴とする請求項１に記載の車載用信号処理装置。
【請求項３】
前記受信アンテナにて受信され、前記選局復調手段にて選局復調される放送信号は、デジタル放送信号であり、前記信号処理手段にて生成される放送信号は、アナログ放送信号であることを特徴とする請求項２に記載の車載用信号処理装置。
【請求項４】
使用者により操作されて前記切換信号を発生する操作手段を備え、
前記制御手段は、前記操作手段からの切換信号に従い、前記送信アンテナに対し出力する信号を、前記放送信号若しくは前記試験信号に切り換えることを特徴とする請求項１〜請求項３の何れか１項に記載の車載用信号処理装置。
【請求項５】
前記信号処理手段に入力される入力信号が正常か否かを判定する判定手段を備え、
前記制御手段は、前記判定手段による判定結果を前記切換信号として取り込み、前記入力信号が正常であれば前記送信アンテナに対し前記放送信号を出力させ、前記入力信号が異常であれば前記送信アンテナに対し前記試験信号を出力させることを特徴とする請求項１〜請求項３の何れか１項に記載の車載用信号処理装置。
【発明の詳細な説明】
【技術分野】
【０００１】
本発明は、自動車等の移動体に搭載され、入力信号を信号処理して放送信号を生成し、その放送信号を送信アンテナから送信する車載用信号処理装置に関する。
【背景技術】
【０００２】
一般的に、例えばテレビやカーオーディオのような車載用機器には、車両メーカーのオプションやディーラーオプションのように、車両の生産工場や販売店で取り付けられる「純正品」と、カー用品の販売店等で取り付けられる「市販品」とがある。そして、「市販品」は、「純正品」の車載用機器に直接接続できないことが多い。
【０００３】
例えば、図６（ａ）に示すように、カーオーディオ機器のヘッドユニット（例えばＦＭレシーバ）９１と車載アンテナ９４とこれらを接続する受信信号伝送用の伝送ケーブル９７とで構成される「純正品」の受信装置９０が搭載された車両に対し、「市販品」であるＣＤ（Ｃｏｍｐａｃｔ  Ｄｉｓｋ）用若しくはＭＤ（Ｍｉｎｉ  Ｄｉｓｋ）用のディスクチェンジャ９２（図６（ｂ）参照）を取り付ける場合、ディスクチェンジャ９２から出力されるディスク再生音声信号をヘッドユニット９１に直接入力して、ヘッドユニット９１に接続されたスピーカ９１ｃから再生音声を発生させることができない場合がある。
【０００４】
そこで、このような場合には、通常、中継機器として、図６（ｂ）に示すようなＲＦモジュレータ９３が用いられる。
つまり、この場合、ディスクチェンジャ９２から出力されるディスク再生音声信号は、ＲＦモジュレータ９３に入力され、ＲＦモジュレータ９３内のＦＭ変調部９３ａよって、ＦＭ帯の所定の周波数を使ったＲＦ信号に変調される。
【０００５】
そして、その変調されたＲＦ信号は、ＲＦ出力端子９３ｃから、伝送ケーブル９６を介して、ヘッドユニット９１のアンテナ入力端子９１ａに入力され、ヘッドユニット９１に内蔵されたＦＭ復調部９１ｂにてディスク再生音声信号が復調される。
【０００６】
また、ＲＦモジュレータ９３には、車載アンテナ９４からの受信信号（つまり、放送局からのＦＭ放送信号）を、伝送ケーブル９７を介して入力するためのＲＦ入力端子９３ｂが設けられており、ＲＦモジュレータ９３は、外部操作によって、ヘッドユニット９１に対し、車載アンテナ９４からＲＦ入力端子９３ｂに入力されたＦＭ放送信号をＲＦ出力端子９３ｃから出力するか、ＦＭ変調部９３ａにて変調されたＲＦ信号（つまり、ＦＭ変調部９３ａから出力されたＦＭ放送信号）をＲＦ出力端子９３ｃから出力するか、を切り換え可能に構成される。
【０００７】
なお、図６に示すＲＦモジュレータ９３には、上述した出力切換やディスクチェンジャ９２の操作を行うために、ＲＦモジュレータ９３とは別体で構成された遠隔操作用のリモコン送信機９８と、そのリモコン送信機９８からの送信信号（リモコン信号）を受信し、コントロールケーブル９５ａを介してＲＦモジュレータ９３に入力するリモコン受信部９５が設けられている。
【０００８】
従って、車両に「市販品」であるディスクチェンジャ９２を搭載した場合には、上記のようなＲＦモジュレータ９３を利用することで、「純正品」であるヘッドユニット９１を、ＦＭレシーバとしての機能を損なうことなく、ディスク再生音声信号の発生装置として機能させることができる（例えば、特許文献１参照）。
【先行技術文献】
【特許文献】
【０００９】
【特許文献１】特開平１１−２４２８７７号公報
【発明の概要】
【発明が解決しようとする課題】
【００１０】
ところで、図６（ｂ）に示すように、「市販品」のＲＦモジュレータ９３と「純正品」のヘッドユニット９１とを伝送ケーブル９６を介して接続する構成では、車両にＲＦモジュレータ９３を搭載する際、車載アンテナ９４から引き込まれている既設の伝送ケーブル９７を、ヘッドユニット９１のアンテナ入力端子９１ａから取り外して、ＲＦモジュレータ９３のＲＦ入力端子９３ｂに接続し直し、更に、ＲＦモジュレータ９３のＲＦ出力端子９３ｃとヘッドユニット９１のアンテナ入力端子９１ａとを伝送ケーブル９６にて接続する必要があることから、伝送ケーブル９６、９７の配線作業等で手間がかかるという問題があった。
【００１１】
一方、この問題を解決するには、図６（ｃ）に示すように、ＲＦモジュレータ９３のＲＦ出力端子９３ｃに、伝送ケーブル９６を介して送信アンテナ９９を接続し、ＲＦモジュレータ９３のＦＭ変調部９３ａにて生成したＲＦ信号（ＦＭ放送信号）を送信アンテナ９９から送信するようにすればよい。
【００１２】
つまり、このようにすれば、受信装置９０は、既設の車載アンテナ９４を使って、送信アンテナ９９から送信されたＲＦ信号（ＦＭ放送信号）を受信することができるので、既設の受信装置９０に手を加えることなく、ＲＦモジュレータ９３を使用することができる。
【００１３】
ところが、このように送信アンテナ９９を設けて電波を送信する方法では、送信アンテナ９９から送信することができる信号の強さが電波法によって制限され、一般的には微小電力の電波しか出力することができないので、送信アンテナ９９の配設位置が極めて制限されるという問題があった。
【００１４】
つまり、既設の車載アンテナ９４にて、送信アンテナ９９から送信された信号を良好に受信するためには、車載アンテナ９４に対する送信アンテナ９９の最適位置を、確り見極めて、送信アンテナ９９を配設する必要がある。
【００１５】
そして、このように、送信アンテナ９９の配設位置を最適化する場合、図６（ｃ）で示した構成例では、ＲＦモジュレータ９３は、出力信号の信号レベルが安定したディスクチェンジャ９２からの出力信号を信号処理（詳しくはＦＭ変調）して、送信アンテナ９９から送信させるので、送信アンテナ９９の配設位置の最適化作業を、例えばディスクチェンジャ９２がＣＤを再生している状態で行えばよい。
【００１６】
つまり、このようにすれば、送信アンテナ９９から放射される電波の電界強度が制限されていても、その電波は途切れることなく安定して放射されるので、送信アンテナ９９の配設位置の最適化作業は、受信装置９０側のスピーカ９１ｃから出力される音声を確認しつつ、簡単に行うことができる。
【００１７】
しかし、カー用品の販売店等で、送信アンテナ９９を備えたＲＦモジュレータ９３の販売と施工だけを行う場合、ディスクチェンジャ９２のような外付け機器を予め準備しておかないと（換言すれば、外付け機器がないと）、送信アンテナ９９の最適位置の検討および設置を行う最適化作業は、容易に行うことができないという問題が発生する。
【００１８】
また、例えば、車両に地上アナログテレビ放送受信用の受信装置が搭載されている場合、ＲＦモジュレータ９３に代わる車載用信号処理装置として、地上デジタルテレビ放送を受信して、所望放送チャンネルのデジタルテレビ放送信号を選局・復調し、復調した映像及び音声信号から予め設定された送信チャンネルのアナログテレビ放送信号を生成して、既設の受信装置に送信する信号処理装置を設けることが考えられる。
【００１９】
そして、この種の車載用信号処理装置においては、地上デジタルテレビ放送の放送電波を受信する受信アンテナが設けられ、その受信アンテナにて受信された受信信号を信号処理（選局・復調）することにより、送信用の映像及び音声信号を復元することになるが、放送電波の受信状況によっては、映像及び音声信号を復元することができず、送信アンテナからアナログテレビ放送信号を送信できなくなることが考えられる。
【００２０】
つまり、地上デジタルテレビ放送には、受信電界強度が所定の値より低くなると、受信画像が急激に劣化してしまう性質（クリフエフェクト）があることから、上記のような車載用信号処理装置においては、送信アンテナの配設作業を行う場所の環境等の外的要因（ガレージなど建物内部で行う場合や、周囲の建物の存在による影響、地形による影響）によって、地上デジタルテレビ放送信号の受信状態が影響され、地上デジタルテレビ放送信号の受信レベルが低下すると、デジタルテレビ放送信号を正常に信号処理することができなくなる。
【００２１】
そして、この場合、送信アンテナからは、アナログテレビ放送信号を正常に送信することができなくなるので、地上アナログテレビ放送受信用の受信装置を介して再生される映像や音声を確認しつつ、送信アンテナの配設位置の最適化作業を実施することができなくなってしまう。
【００２２】
従って、上記のように地上デジタルテレビ放送を受信し、所定放送チャンネルの地上デジタルテレビ放送信号をアナログテレビ放送信号に変換して送信する車載用信号処理装置においては、送信アンテナの配設位置の最適化作業を実施する際の車両位置が制限されてしまうという問題がある。
【００２３】
本発明は、こうした問題に鑑みなされたものであり、入力信号を信号処理して放送信号を生成し、その放送信号を送信アンテナから車載アンテナに向けて送信する車両用信号処理装置において、入力信号に異常が生じたときにでも、送信アンテナから放送信号を送信できるようにすることで、送信アンテナの配設位置の最適化作業を簡単且つ確実に実行できるようにすることを目的とする。
【課題を解決するための手段】
【００２４】
かかる目的を達成するためになされた請求項１に記載の発明は、入力信号を信号処理することで、車両に搭載された受信装置にて復調可能な放送信号を生成する信号処理手段と、前記信号処理手段にて生成された放送信号を、前記受信装置に接続された車載アンテナに向けて送信する送信アンテナと、を備えた車載用信号処理装置において、前記信号処理手段にて生成される放送信号とは内容が異なるものの、前記放送信号と同一規格で、前記受信装置にて復調可能な試験信号を生成する試験信号生成手段と、外部から入力される切換信号に従い、前記送信アンテナに対し前記信号処理手段にて生成された放送信号を出力するか、前記試験信号生成手段にて生成された試験信号を出力するかを切り換える制御手段と、を備えたことを特徴とする。
【００２５】
また、請求項２に記載の発明は、請求項１に記載の車載用信号処理装置において、所定の放送電波を受信する受信アンテナと、該受信アンテナにて受信された受信信号の中から特定の放送信号を選局して映像若しくは音声信号を復調する選局復調手段と、を備え、前記信号処理手段は、前記選局復調手段にて復調された映像若しくは音声信号を、前記選局復調手段が選局復調した放送信号とは規格が異なる放送信号を生成することを特徴とする。
【００２６】
また、請求項３に記載の発明は、請求項２に記載の車載用信号処理装置において、前記受信アンテナにて受信され、前記選局復調手段にて選局復調される放送信号は、デジタル放送信号であり、前記信号処理手段にて生成される放送信号は、アナログ放送信号であることを特徴とする。
【００２７】
次に、請求項４に記載の発明は、請求項１〜請求項３の何れか１項に記載の車載用信号処理装置において、使用者により操作されて前記切換信号を発生する操作手段を備え、前記制御手段は、前記操作手段からの切換信号に従い、前記送信アンテナに対し出力する信号を、前記放送信号若しくは前記試験信号に切り換えることを特徴とする。
【００２８】
また、請求項５に記載の発明は、請求項１〜請求項３の何れか１項に記載の車載用信号処理装置において、前記信号処理手段に入力される入力信号が正常か否かを判定する判定手段を備え、前記制御手段は、前記判定手段による判定結果を前記切換信号として取り込み、前記入力信号が正常であれば前記送信アンテナに対し前記放送信号を出力させ、前記入力信号が異常であれば前記送信アンテナに対し前記試験信号を出力させることを特徴とする。
【発明の効果】
【００２９】
請求項１に記載の車載用信号処理装置によれば、信号処理手段が、入力信号を信号処理することにより、受信装置にて復調可能な放送信号を生成し、試験信号生成手段が、信号処理手段にて生成される放送信号とは内容が異なるものの、その放送信号と同一規格で受信装置にて復調可能な試験信号を生成する。
【００３０】
そして、制御手段が、外部から入力される切換信号に従い、送信アンテナに対し、信号処理手段にて生成された放送信号を出力するか、試験信号生成手段にて生成された試験信号を出力するかを切り換える。
【００３１】
従って、本発明の車載用信号処理装置によれば、例えば、信号処理手段に対し、信号処理対象となる入力信号を入力してくるディスクチェンジャ等の外付け機器が接続されておらず、信号処理手段において正常な放送信号を生成できない場合には、制御手段に入力する切換信号により、制御手段が送信アンテナに出力させる信号を、試験信号生成手段にて生成された試験信号に切り換えることで、受信装置に対し、当該車載用信号処理装置の送信アンテナからの送信信号を正常に受信させることができる。
【００３２】
このため、車載アンテナを備えた既設の受信装置が取り付けられている車両に対し、本発明の車載用信号処理装置を搭載して、送信アンテナからの送信電波を車載アンテナで受信できるように、送信アンテナの配設位置を最適位置に設定する最適化作業を行う際には、上述した従来技術のように、車載用信号処理装置にディスクチェンジャのような外付け機器を接続する必要はなく、制御手段に切換信号を入力して、送信アンテナから放射される信号を試験信号に切り換えるだけでよい。
【００３３】
よって、本発明の車載用信号処理装置によれば、送信アンテナの最適位置の検討及び設置（換言すれば配設位置の最適化作業）を、簡単且つ確実に行うことができる。
また、本発明の車載用信号処理装置によれば、車両への設置が完了した後であっても、送信アンテナからの送信電波を放送信号及び試験信号の何れかに切り換えることができる。
【００３４】
このため、例えば、外付け機器であるディスクチェンジャから音声信号が出力されない等、システムに何らかの異常が発生した場合には、送信アンテナから送信させる信号の切り換えにより、外付け機器の系統に問題があるのか、車載用信号処理装置の系統に問題があるのかを、速やかに判断できるようになる。
【００３５】
次に、請求項２に記載の車載用信号処理装置によれば、所定の放送電波を受信する受信アンテナと、この受信アンテナにて受信された受信信号の中から特定の放送信号を選局して映像若しくは音声信号を復調する選局復調手段とが備えられており、信号処理手段は、その選局復調手段にて復調された映像若しくは音声信号を、選局復調手段が選局復調した放送信号とは規格が異なり、受信装置にて復調可能な放送信号を生成する。
【００３６】
従って、本発明の車載用信号処理装置によれば、車載アンテナを備えた既設の受信装置では受信して復調することのできない放送信号を、既設の受信装置で受信して復調することのできる放送信号に変換して、送信アンテナから再送信させることができるようになり、既設の受信装置の用途を拡大することができる。
【００３７】
また、このように車載用信号処理装置を放送信号の再送信装置として利用する場合には、車両の位置によって、受信アンテナによる放送電波の受信状態が変化することから、従来技術では、送信アンテナの配設位置の最適化作業を行う場所が制限されるという問題があったが、本発明では、送信アンテナの配設位置の最適化作業を行う際には、制御手段に切換信号を入力して、送信アンテナから放射される信号を試験信号に切り換えるようにすればよい。
【００３８】
つまり、このようにすれば、受信アンテナによる放送電波の受信状態の影響を受けることなく、送信アンテナから一定レベルで送信電波を放射させることができるため、送信アンテナの最適位置の検討及び設置を、簡単且つ確実に行うことができる。
【００３９】
また、本発明の車載用信号処理装置によれば、設置が完了した後であっても、送信アンテナからの送信電波を放送信号及び試験信号の何れかに切り換えることができるので、システムに何らかの異常が発生した場合には、送信アンテナから送信させる信号の切り換えにより、受信装置の受信系統に問題があるのか、車載用信号処理装置の送信系統に問題があるのかを、速やかに判断できるようになる。
【００４０】
次に、請求項３に記載の車載用信号処理装置においては、受信アンテナにて受信され、選局復調手段にて選局復調される放送信号は、デジタル放送信号であり、信号処理手段にて生成される放送信号（換言すれば受信装置にて復調可能な放送信号）は、アナログ放送信号であることから、当該車載用信号処理装置を、アナログ放送信号専用の受信装置が搭載された車両に搭載することで、既設の受信装置を利用してデジタル放送を楽しむことができるようになる。
【００４１】
例えば、地上アナログテレビ放送を受信するために、アナログテレビ放送専用の受信装置が搭載された車両において、地上アナログテレビ放送（ＶＨＦ、ＵＨＦ）と地上デジタルテレビ放送（ＵＨＦ）との両方を視聴できるようになり、今後、地上アナログテレビ放送が完全停波した後であっても、システムを何ら変更することなく、地上デジタルテレビ放送の視聴を継続することができるようになる。
【００４２】
また、請求項３に記載の車載用信号処理装置によれば、アナログテレビ放送が終了することによって、アナログテレビ放送専用の受信装置が使用できなくなるのを防止し、アナログテレビ放送専用の受信装置の寿命を延ばすことができるので、当該車載用信号処理装置は、アナログテレビ放送専用の受信装置を搭載した車両の使用者にとっては極めて都合の良い装置となり、また、環境に対し優しい装置となる。
【００４３】
なお、請求項３において、デジタル放送信号及びアナログ放送信号は、テレビ放送に限定されるものではなく、ラジオ放送であってもデータ放送であってもよい。
一方、本発明の車載用信号処理装置において、送信アンテナから送信させる信号を信号処理手段にて生成された放送信号にするか、試験信号生成手段にて生成された試験信号にするかの切り換えは、制御手段に入力する切換信号により行われるが、この切換信号は、請求項４に記載のように、使用者が操作手段を操作することにより入力するようにすればよい。
【００４４】
また、請求項５に記載のように、操作手段に代えて、信号処理手段に入力される入力信号が正常か否かを判定する判定手段を設け、制御手段が、その判定手段による判定結果を切換信号として取り込み、入力信号が正常であれば送信アンテナに対し放送信号を出力させ、入力信号が異常であれば送信アンテナに対し試験信号を出力させるようにしてもよい。
【００４５】
そして、請求項５に記載の車載用信号処理装置によれば、送信アンテナから送信させる信号の切り換えを自動で行うことができるので、手動で切り換えるようにした請求項４に記載のものに比べて、より使い勝手を向上できる。
【図面の簡単な説明】
【００４６】
【図１】第１実施形態の車載用信号処理装置の構成を表すブロック図である。
【図２】第２実施形態の車載用テレビ受信システム全体の構成を表す概略構成図である。
【図３】第２実施形態の車載用テレビ受信システム各部の車両への取り付け状態を表す説明図であり、（ａ）は車両のフロントガラスとその周囲を車両内側から見た斜視図、（ｂ）は車両のリアガラスとその周囲を車両内側から見た斜視図、である。
【図４】第２実施形態の車載用信号処理装置の構成を表す回路図である。
【図５】第２実施形態の車載用信号処理装置の再送信機の変形例を表す回路図である。
【図６】従来技術を説明するブロック図であり、（ａ）は既設の受信装置の構成例を表すブロック図、（ｂ）は既設の受信装置にＲＦモジュレータを直接接続した場合の構成例を表すブロック図、（ｃ）は既設の受信装置とＲＦモジュレータとを電波（ＦＭ放送信号）を介して接続した場合の構成例を表すブロック図、である。
【発明を実施するための形態】
【００４７】
以下に本発明の実施形態を図面と共に説明する。
［第１実施形態］
先ず、図１を用いて第１実施形態の車載用信号処理装置９の具体的な使用例について説明する。
【００４８】
この図に示されているのは、車両におけるオーディオシステムの例であり、例えば、ＦＭ放送を受信するように構成された既設の受信装置９０を備えている車両において、当該受信装置９０を用いて、ディスクチェンジャ９２による再生音声を楽しむことができるようにするシステムである。
【００４９】
なお、本実施形態は、図６（ｃ）に示した従来技術に対応するシステムであり、以下の説明において、従来技術と同様な構成についての詳細な説明は省略する。
図１に示すように、本実施形態の車載用信号処理装置９は、ＲＦモジュレータ９３と、ＲＦモジュレータ９３から出力されるＲＦ信号（ＦＭ放送信号）を車両内部に放射する送信アンテナ９９と、を備えている。
【００５０】
送信アンテナ９９は、細径でしなやかで、可撓性の優れた同軸ケーブルからなる伝送ケーブル９６を介して、ＲＦモジュレータ９３のＲＦ出力端子９３ｃと接続されており、ＲＦモジュレータ９３の出力端子９３ｃから出力されるＦＭ放送信号は、伝送ケーブル９６を介して送信アンテナ９９から放射される。
【００５１】
また伝送ケーブル９６の長さは、送信アンテナ９９を車両に取り付ける際に、その配設位置の自由度を高めることができる長さに設定されている。具体的には、伝送ケーブル９６の長さは、既設の前記受信装置９０を構成する車載アンテナ９４が車両の何れに（例えば、フロントガラスではなく、リアガラスに）配設してあっても、送信アンテナ９９から放射されるＦＭ放送信号を、受信装置９０おいて良好に受信できる位置に配設できるように、設定されている。
【００５２】
なお、既設の受信装置９０において良好に受信できるなら、ＲＦモジュレータ９３と送信アンテナ９９とは一体的に構成することにより、伝送ケーブル９６を除去するようにしてもよい。
【００５３】
次に、ＲＦモジュレータ９３には、外部入力端子９３ｄが設けられており、例えば、上述したディスクチェンジャ９２のような外付け機器を、音声信号用ケーブルを介して接続できるように構成されている。
【００５４】
そして、音声信号用ケーブルを介して伝送されてきた音声信号（ディスク再生音声信号等）は、外部入力端子９３ｄからＦＭ変調部９３ａに入力される。このＦＭ変調部９３ａは、本発明の信号処理手段に相当するものであり、入力された音声信号を変調することによって、所定周波数のＦＭ放送信号を生成する。
【００５５】
ＦＭ変調部９３ａにおいて生成されるＦＭ放送信号の周波数は、既設の受信装置９０において受信しているＦＭ放送の受信に影響がでない周波数でなければならないので、ＲＦモジュレータ９３に汎用性を持たせるためにも、ＦＭ変調部９３ａは、ＦＭ放送信号の周波数として、複数の周波数の中から選択的に設定できるようにされている。
【００５６】
つまり、ＦＭ放送信号の周波数の設定は、制御部９３ｆによって行われ、ＦＭ変調部９３ａは、制御部９３ｆから出力される制御信号に基づいて、ＦＭ放送信号の周波数を設定する。
【００５７】
また、制御部９３ｆは、マイクロコンピュータを中心に構成されており、例えば、ＲＦモジュレータ９３に一体的に設けられたスイッチ等からなる操作部９３ｇの操作状態や、リモコン受信部９５からコントロールケーブル９５ａ、リモコン入力端子９３ｈを介して送られてくるコントロール信号に対応した操作情報に基づいて、ＦＭ放送信号の周波数を決定し、ＦＭ変調部９３ａに対してその周波数を表す制御信号を送出する。なお、リモコン受信部９５は、リモコン送信機９８から送信された遠隔操作用のコントロール信号を受信し、制御部９３ｆに出力する。
【００５８】
また次に、ＲＦモジュレータ９３には、ＦＭ変調部９３ａにおいて生成されるＦＭ放送信号とは内容が異なるものの、このＦＭ放送信号と同一周波数で規格が同じ試験信号（つまり試験用のＦＭ放送信号）を生成する試験信号生成部９３ｅが備えられている。そして、この試験信号生成部９３ｅは、ＦＭ変調部９３ａと同様、制御部９３ｆからの制御信号に基づいて試験信号を生成する。
【００５９】
なお、試験信号生成部９３ｅは、本発明の試験信号生成手段に相当するものであり、試験信号生成部９３ｅが生成する試験信号は、ＦＭ変調部９３ａにて生成されるＦＭ放送信号と規格が同じで、試験信号であることが分かる音声信号であればよく、その内容は音楽であっても良いし、音声メッセージであっても良い。
【００６０】
また、制御部９３ｆは、本発明の制御手段に相当し、操作手段としての操作部９３ｇ若しくはリモコン受信部９５から入力される切換信号に従い、ＦＭ変調部９３ａを動作させて、ＦＭ変調部９３ａにて生成されたＦＭ放送信号を送信アンテナ９９に出力するか、或いは、試験信号生成部９３ｅを動作させて、試験信号生成部９３ｅにて生成された試験信号を送信アンテナ９９に出力するかを切り換える。
【００６１】
以上説明したように、本実施形態の車載用信号処理装置９によれば、ディスクチェンジャ９２のような外付け機器を接続するための外部入力端子を備えていない受信装置９０が搭載された車両に搭載することで、ディスクチェンジャ９２等の外付け機器から出力された音声信号を、受信装置９０側で受信・復調可能なＦＭ放送信号に変換して、送信アンテナ９９から送信させることができる。このため、受信装置９０において、このＦＭ放送信号を受信するように受信周波数を調整すれば、ディスクチェンジャ９２等の外付け機器を利用して所望の楽曲を楽しむことができる。
【００６２】
また、送信アンテナ９９から送信したＦＭ放送信号を受信装置９０側で正常に受信できるようにするために送信アンテナ９９の配設場所の検討（最適化作業）を行うに当たって、ディスクチェンジャ９２等の外付け機器が接続されておらず、ＦＭ変調部９３ａに信号処理対象となる音声信号を入力することができない場合には、操作部９３ｇ若しくはリモコン送信機９８を操作することで、制御部９３ｆに切換信号を入力し、試験信号生成部９３ｅにて生成された試験信号を送信アンテナ９９に出力させるようにすればよい。
【００６３】
つまり、このようにすれば、送信アンテナ９９の配設場所の最適化作業を行う際に、受信装置９０に送信アンテナ９９から送信された試験信号を受信させることで、受信装置９０のスピーカ９１ｃから出力される再生音を確認しつつ最適化作業を行うことができるようになり、その最適化作業を、容易に、しかも確実に行うことができる。
【００６４】
また、本実施形態の車載用信号処理装置９を車両に搭載して、最適化作業を行う際に、ディスクチェンジャ９２等の外付け機器をわざわざ接続する必要がないので、車載用信号処理装置９の取り付けを行う販売店等では、取り付け費のコストダウンを図ることができる。また、天候によって左右されることがないのでお客様を待たせることもない。
【００６５】
また更に、車載用信号処理装置９の車両への設置が完了した後であっても、いつでも送信アンテナ９９から試験信号を送信させることができるので、システムに不具合（例えば、外付け機器であるディスクチェンジャからの音声が再生されないなど）があっても、システムの動作チェックを素早く行い、外付け機器であるディスクチェンジャ９２や音声信号用ケーブルなどからなる音声信号系統に問題があるのか、ＲＦモジュレータ９３や送信アンテナ９９などからなる送信系統に問題があるのかを、容易に判断できるようになる。
［第２実施形態］
次に、本発明の第２実施形態に係る車載用信号処理装置１について説明する。
【００６６】
図２に示すように、本実施形態の車載用信号処理装置１は、地上アナログテレビ放送を受信するための受信装置５０が搭載された車両６０において、その受信装置５０をそのまま利用して、地上デジタルテレビ放送を楽しむことができる車載用テレビ受信システムを構築するためのものであり、第１実施形態の車載用信号処理装置９とは、処理対象となる信号の種類が異なる。
【００６７】
つまり、第１実施形態の車載用信号処理装置９では、ディスクチェンジャ９２等の外付け機器からの音声信号を処理（ＦＭ変調）することで所定周波数のＦＭ放送信号を生成し、送信アンテナ９９から送信させるのに対し、第２実施形態の車載用信号処理装置１では、外部の送信塔から送信されている地上デジタルテレビ放送波を受信アンテナ３にて受信し、再送信機３０にて、その受信した放送信号の中から所定チャンネルのテレビ放送信号を選局して、映像及び音声信号を復調し、その復調した映像及び音声信号から、再送信用に設定された所定チャンネルのアナログテレビ放送信号を生成し、送信アンテナ４１から送信させる（図２参照）。
【００６８】
ここでまず、受信装置５０は、地上アナログテレビ放送の送信所８２から送信されているＶＨＦ帯及びＵＨＦ帯のアナログテレビ放送信号をそれぞれ受信するＶＨＦアンテナ５１及びＵＨＦアンテナ５２からなる既設の車載アンテナ７０と、同軸ケーブルからなる伝送ケーブル７を介して車載アンテナ７０に接続され、車載アンテナ７０からの受信信号の中から所望放送チャンネルのアナログテレビ放送を選局・復調して映像及び音声を出力（換言すれば再生）するテレビ受信機５５と、から構成されている。
【００６９】
一方、車載用信号処理装置１は、所謂「市販品」であり、受信装置５０が搭載された車両６０に後付けされるものである。
この車載用信号処理装置１は、上述した受信アンテナ３、再送信機３０、及び送信アンテナ４１と、受信アンテナ３と再送信機３０を接続する伝送ケーブル５と、再送信機３０と送信アンテナを接続する伝送ケーブル６と、再送信機３０とは別体で構成されて、再送信機３０を遠隔操作するためのリモコン送信機８と、を備える。
【００７０】
なお、伝送ケーブル５、６は、車両への配線がし易いように、細径でしなやかで、可撓性の優れた同軸ケーブルにて構成されている。
ここで、受信アンテナ３は、地上デジタルテレビ放送の送信所８１から送信されてくるＵＨＦ帯の電波を受信するアンテナ部１０と、アンテナ部１０で受信したＵＨＦ帯のデジタルテレビ放送信号を、伝送ケーブル５に向けて送出するための給電部２０とから構成されており、給電部２０から送出されたデジタルテレビ放送信号は、伝送ケーブル５を介して再送信機３０に入力される。
【００７１】
再送信機３０は、伝送ケーブル５を介して入力されたＵＨＦ帯のデジタルテレビ放送信号の中から、リモコン送信機８を介して指定された特定放送チャンネルのデジタルテレビ放送信号を選局して映像及び音声信号を復調すると共に、その復調した映像及び音声信号から、特定放送チャンネルとは異なり、且つ、車両６０が位置する地域で放送されている地上アナログテレビ放送の放送チャンネルとは異なる、再送信用チャンネル（例えば、ＶＨＦ帯のアナログテレビ放送信号のチャンネル１又はチャンネル２）のアナログテレビ放送信号を生成して出力する送受信機として構成されている。
【００７２】
そして、この再送信機３０のアナログテレビ放送信号の出力端子には、伝送ケーブル６を介して、ＶＨＦアンテナからなる送信アンテナ４１が接続されており、再送信機３０にて生成した再送信用チャンネルのアナログテレビ放送信号を、送信アンテナ４１から、車載アンテナ７０（詳しくはＶＨＦアンテナ５１）に向けて送信するようにされている。
【００７３】
このため、車両乗員は、受信装置５０のテレビ受信機５５の選局チャンネルを、再送信機３０から送信アンテナ４１を介して再送信されるアナログテレビ放送信号の放送チャンネル（再送信用チャンネル；例えば、チャンネル１又はチャンネル２）に切り換えることにより、再送信機３０にて選局・復調された特定放送チャンネルのデジタルテレビ放送を視聴できるようになる。
【００７４】
また、車両乗員は、リモコン送信機８を操作して、再送信機３０にて選局されるデジタルテレビ放送の選局チャンネル（特定放送チャンネル）を変更することにより、テレビ受信機５５を利用して、所望放送チャンネルのデジタルテレビ放送を視聴できることになる。
【００７５】
また、本実施形態の車載用信号処理装置１を用いれば、地上アナログテレビ放送と地上デジタルテレビ放送とを同時に行うサイマル放送が中止され、地上アナログテレビ放送の電波が停波した後でも、受信装置５０を利用して、地上デジタルテレビ放送を楽しむことができる。
【００７６】
よって、本実施形態の車載用信号処理装置１によれば、車両において地上デジタルテレビ放送を視聴するために、受信装置５０を地上デジタルテレビ放送受信用の受信装置に交換する必要がなく、受信装置５０を有効利用することができる。
【００７７】
次に、車載用信号処理装置１と既設の受信装置５０との車両６０への配設状態について図３を用いて説明する。図３において、（ａ）は車両６０のフロントガラス６１とその周囲を車両内側から見た斜視図であり、（ｂ）は車両６０のリアガラス６９とその周囲を車両内側から見た斜視図である。
【００７８】
まず、受信装置５０において、車載アンテナ７０は、図３（ｂ）に示すように、ＶＨＦアンテナ５１とＵＨＦアンテナ５２とを一体的に形成することにより構成されており、リアガラス６９の上端６９ａに、ガラス表面に沿うように一体的に取り付けられている。
【００７９】
また、テレビ受信機５５は、図３（ａ）に示すように、車両６０のダッシュボード６５の中央に組み込まれており、車両６０内に配線された伝送ケーブル７を介して、車載アンテナ７０に接続されている。
【００８０】
また、図３（ａ）に示すように、車載用信号処理装置１の受信アンテナ３は、フロントガラス６１の上端６１ａにおいて、ガラス表面に沿うように一体的に取り付けられており、再送信機３０は、ダッシュボード６５下の空間に取り付けられている。そして、受信アンテナ３と再送信機３０とは、車両６０の天井６３やピラー６４に沿うように配線された伝送ケーブル５を介して接続されている。
【００８１】
また、再送信機３０からは伝送ケーブル６が引き出されており、伝送ケーブル６は、車両６０の床下やピラー６４、天井６３等に引き回された後に、送信アンテナ４１と接続されている。
【００８２】
そして、送信アンテナ４１は、再送信機３０から出力されるＶＨＦ帯のアナログテレビ放送信号を車両６０内に放射するのに好適で、しかも、既設の車載アンテナ７０にて良好に受信できる最適位置（例えば、車載アンテナ７０と同じリアガラス６９）に取り付けられている。
【００８３】
次に、図４は、車載用信号処理装置１を構成している受信アンテナ３及び再送信機３０の回路構成を表す回路図である。
図４に示すように、受信アンテナ３のアンテナ部１０は、相互に略９０°開くように配設された水平偏波用及び垂直偏波用の２つのアンテナエレメントから構成されている。
【００８４】
また、給電部２０は、アンテナ部１０からの受信信号を所定量だけ増幅する増幅回路１３や、リモコン送信機８からのリモコン信号を受信するリモコン受信部１５等を回路基板１９上に構成してなるアンテナ基端部２１と、増幅回路１３にて増幅された受信信号とリモコン受信部１５から出力されるコントロール信号を伝送ケーブル５に向けて送出すると共に、伝送ケーブル５の外部導体やアンテナ基端部２１のグランドを車両６０に接続することにより接地するアンテナ送出部２５と、から構成されている。そして、これら各部は、アンテナ基端部２１から延設された連結片２３を介して接続されている。
【００８５】
なお、リモコン受信部１５は、リモコン送信機８からのリモコン信号（一般に、数十ｋＨｚの搬送波を送信データにて振幅変調したコントロール信号にて赤外光の発光素子を駆動することにより送信される光信号）を集光レンズ１５ａにて集光し、その焦点位置に配置された受光素子にて受光し、その受光信号を信号処理することによりコントロール信号を再生するように構成された周知のものであり、リモコン受信部からはリモコン信号に対応したコントロール信号が出力される。
【００８６】
次に、アンテナ基端部２１の回路基板１９上には、増幅回路１３及びリモコン受信部１５とは別に、増幅回路１３にて増幅された受信信号とリモコン受信部１５から出力されるコントロール信号とを混合してアンテナ送出部２５に出力すると共に、アンテナ送出部２５から入力される直流電源電圧を分離して増幅回路１３及びリモコン受信部１５に供給する電源分離・合成回路１４が設けられている。
【００８７】
この電源分離・合成回路１４は、受信信号とコントロール信号とを混合する合成回路として、増幅回路１３から出力されたデジタルテレビ放送の受信信号（ＵＨＦ帯のデジタルテレビ放送信号：数百ＭＨｚ帯の高周波信号）をアンテナ送出部２５側に通過させるコンデンサＣ１と、リモコン受信部１５から出力されるコントロール信号（デジタルテレビ放送信号よりも低い数十ｋＨｚ帯の低周波信号）をアンテナ送出部２５側に通過させるコイルＬ１とを備える。
【００８８】
また、電源分離・合成回路１４は、電源分離回路として、リモコン受信部１５とコイルＬ１との間に設けられた直流遮断用のコンデンサＣ３と、増幅回路１３及びリモコン受信部１５への電源供給ラインとコイルＬ１との間に設けられ、アンテナ送出部２５からコイルＬ１を介して入力される直流電源電圧を電源供給ラインに印加し、コントロール信号の通過を阻止するチョークコイルＣＬ１とを備える。
【００８９】
そして、電源分離・合成回路１４とアンテナ送出部２５とは、連結片２３に形成された信号線１６を介して接続されており、アンテナ送出部２５には、その信号線１６に伝送ケーブル５の中心導体を接続するための接続端子２６が設けられている。
【００９０】
また、連結片２３には、接地線１７が形成されており、増幅回路１３や前記リモコン受信部１５等のグランドは、この接地線１７を介して、アンテナ送出部２５に設けられた接続端子２７に接続されている。この接続端子２７は、アンテナ送出部２５において、伝送ケーブル５の外部導体を接続するためのものである。
【００９１】
一方、再送信機３０には、伝送ケーブル５を接続するための入力端子３１ａが設けられており、この入力端子３１ａには、伝送ケーブル５を介して伝送されてきたテレビ放送の受信信号（ＵＨＦ帯のデジタルテレビ放送信号）とコントロール信号とを取り込み、分離すると共に、再送信機３０内で生成した直流電源電圧を伝送ケーブル５に送出するための信号分離・電源出力回路３４が接続されている。
【００９２】
この信号分離・電源出力回路３４は、受信アンテナ３の給電部２０に設けられた電源分離・合成回路１４と同様に構成されており、伝送ケーブル５から入力端子３１ａに入力されたテレビ放送の受信信号とコントロール信号とを分離する分離回路として、テレビ放送の受信信号（数百ＭＨｚ帯の高周波信号）を端子Ｒ側に通過させるコンデンサＣ２と、コントロール信号（数十ｋＨｚ帯の低周波信号）を端子Ｃ側に通過させるコイルＬ２及びコンデンサＣ４と、直流電源電圧をコイルＬ２とコンデンサＣ４との接続点に印加することによりコイルＬ２を介して入力端子３１ａ（延いては伝送ケーブル５）側に出力させるチョークコイルＣＬ２と、を備える。
【００９３】
また、再送信機３０には、信号分離・電源出力回路３４にて分離されたテレビ放送の受信信号及びコントロール信号を端子Ｒ、Ｃからそれぞれ取り込み、コントロール信号に従い受信信号を処理する信号処理回路３５と、車両６０に搭載されたバッテリから電源供給を受けて、信号処理回路３５及び受信アンテナ３に供給する直流電源電圧を生成する電源回路３２とが設けられている。
【００９４】
また次に、信号処理回路３５は、選局・復調回路３６と、試験信号生成回路３９と、案内情報付与回路４０と、変調回路３７と、制御回路３８とから構成されている。
選局・復調回路３６は、端子Ｒから入力されたテレビ放送の受信信号（ＵＨＦ帯のデジタルテレビ放送信号）の中から特定放送チャンネルのデジタルテレビ放送を選局し、その選局した受信信号（デジタルテレビ放送信号）から映像及び音声信号を復調するものであり、選局用のデジタルチューナと復調回路とから構成されている。
【００９５】
また、試験信号生成回路３９は、制御回路３８からの指令に従い、試験放送用の映像及び音声信号を生成するものであり、案内情報付与回路４０は、選局・復調回路３６又は試験信号生成回路３９から出力される映像信号に、特定放送チャンネルの放送局やそのチャンネル番号を案内するための案内情報（文字や図形からなる表示用の情報）を付与する、所謂スーパーインポーズ回路である。
【００９６】
また、変調回路３７は、案内情報付与回路４０にて案内情報が付与された映像信号と、選局・復調回路３６又は試験信号生成回路３９から出力される音声信号とを用いて、予め設定された再送信用チャンネルのアナログテレビ放送信号を生成し、その生成したアナログテレビ放送信号を、出力端子３１ｂから伝送ケーブル６を介して送信アンテナ４１に出力する。
【００９７】
次に、制御回路３８は、マイクロコンピュータにて構成されており、下記１）〜４）の制御処理を実行する。
１）端子Ｃから入力されるコントロール信号に従い、選局・復調回路３６が選局するデジタルテレビ放送信号の選局チャンネル（特定放送チャンネル）を設定する選局チャンネル設定処理。
【００９８】
２）選局チャンネル設定処理で設定した選局チャンネルに対応した案内情報を生成して、案内情報付与回路４０に出力することで、映像信号に案内情報を付与させる案内情報生成処理。
【００９９】
３）端子Ｃから入力されるコントロール信号（詳しくは送信チャンネル切換信号）に従い、変調回路３７が生成するアナログテレビ放送信号の放送チャンネル（再送信用チャンネル）をチャンネル１、２の何れか一方に設定する再送信用チャンネル設定処理。
【０１００】
４）端子Ｃから入力されるコントロール信号（詳しくは放送内容切換信号）に従い、選局・復調回路３６を動作させるか試験信号生成回路３９を動作させるかを切り換えることで、信号処理回路３５から出力されるアナログテレビ放送信号を、選局したデジタルテレビ放送に対応した放送信号にするか、試験信号に対応した放送信号にするかを切り換える、放送内容切換処理。
【０１０１】
このように構成された信号処理回路３５によれば、車両乗員がリモコン送信機８を操作することにより指定した特定放送チャンネルのデジタルテレビ放送の映像及び音声信号を復調して、その映像及び音声信号から再送信用チャンネルのアナログテレビ放送信号を生成し、その生成したアナログテレビ放送信号を受信装置５０に送信することができるだけでなく、その送信するアナログテレビ放送信号の映像信号に、選局・復調回路３６にて選局したデジタルテレビ放送の放送局やチャンネル番号を表す案内情報を重畳することができる。
【０１０２】
このため、車両乗員は、テレビ受信機５５の選局チャンネルを、再送信機３０から再送信されるアナログテレビ放送信号の放送チャンネルに切り換え、再送信機３０にて選局・復調した特定放送チャンネルのデジタルテレビ放送を視聴する際、そのデジタルテレビ放送の映像と一緒にテレビ受信機５５に表示される案内情報から、現在視聴しているデジタルテレビ放送の放送チャンネルや放送局を確認することができる。
【０１０３】
また、信号処理回路３５は、使用者がリモコン送信機９８を操作することにより入力されるコントロール信号（詳しくは放送内容切換信号）により、送信アンテナ４１から送信されるアナログテレビ放送信号を、選局・復調回路３６にて選局されたデジタルテレビ放送に対応した放送信号にするか、試験信号に対応した放送信号にするかを切り換えることができる。
【０１０４】
このため、本実施形態の車載用信号処理装置１によれば、送信アンテナ４１を車載アンテナ７０に対し最適な位置に配置する際、送信アンテナ４１から送信されるアナログテレビ放送信号を、試験信号に対応した放送信号に切り換え、テレビ受信機５５の受信チャンネルを、そのアナログテレビ放送信号の再送信チャンネルに設定することで、送信アンテナ４１の最適位置への配置作業（最適化作業）を、簡単且つ正確に行うことができるようになる。
【０１０５】
つまり、このようにすれば、受信アンテナ３による放送電波の受信状態の影響を受けることなく、送信アンテナ４１から一定レベルで送信電波を放射させることができるため、作業者は、テレビ受信機５５から出力される映像や音声を確認しつつ、送信アンテナ４１の最適位置の検討及び設置を簡単且つ確実に行うことができる。
【０１０６】
また、送信アンテナ４１の設置が完了した後であっても、送信アンテナ４１から送信されるアナログテレビ放送信号を、デジタルテレビ放送に対応した放送信号及び試験信号に対応した放送信号の何れかに切り換えることができるので、システムに何らかの異常が発生した場合には、送信アンテナ４１から送信させる信号の切り換えにより、受信装置５０の受信系統に問題があるのか、車載用信号処理装置１の送信系統に問題があるのかを、速やかに判断することができるようになる。
【０１０７】
また、伝送ケーブル６は、細径でしなやかで、可撓性を有する同軸ケーブルにて構成されていることから、車両６０の天井６３やピラー６４、床下等に容易に引き回すことができる。このため、作業者が、送信アンテナ４１の最適位置を探索する際の作業時間を短縮することができる。
【０１０８】
ここで、本実施形態において、信号処理回路３５における選局・復調回路３６は、本発明の選局復調手段に相当し、変調回路３７は、本発明の信号処理手段に相当する。また、試験信号生成回路３９及び変調回路３７は、本発明の試験信号生成手段に相当し、制御回路３８は、本発明の制御手段に相当し、リモコン送信機８は、本発明の操作手段に相当する。
【０１０９】
以上、本発明の実施形態について説明したが、本発明は上記実施形態に限定されるものではなく、本発明の要旨を逸脱しない範囲内にて種々の態様を採ることができる。
（変形例１）
例えば、第２実施形態では、送信アンテナ４１から送信されるアナログテレビ放送信号をデジタルテレビ放送に対応した放送信号にするか、試験信号に対応した放送信号にするかの切り換えを、リモコン送信機８から入力される放送内容切換信号に従い切り換えるものとして説明したが、選局・復調回路３６にて特定放送チャンネルのデジタルテレビ放送信号を正常に選局・復調できるか否かを判断して、特定放送チャンネルのデジタルテレビ放送信号を正常に選局・復調できる場合には、その放送信号に対応したアナログテレビ放送信号を出力し、特定放送チャンネルのデジタルテレビ放送信号を正常に選局・復調できない場合には、試験信号に対応したアナログテレビ放送信号を出力するようにしても良い。
【０１１０】
そしてこのためには、図５に示すように、選局・復調回路３６に入力される受信信号の一部を分岐回路８６にて分岐し、その分岐した受信信号を検波回路８８にて検波することにより、制御回路３８側でその検波信号の電圧レベルから、受信信号の信号レベルを検知できるようにする。
【０１１１】
そして、制御回路３８においては、検波信号の電圧レベルから受信信号の信号レベルを検知し、その信号レベルが予め設定されたしきい値よりも高い場合には、選局・復調回路３６にてデジタルテレビ放送信号を正常に選局・復調できると判定して、選局・復調回路３６を動作させ、受信信号の信号レベルがしきい値以下である場合には、選局・復調回路３６にてデジタルテレビ放送信号を正常に選局・復調できないと判定して、試験信号生成回路３９を動作させる、といった手順で放送内容切換処理を実行するようにすればよい。
【０１１２】
つまり、このようにすれば、送信アンテナ４１から送信させるアナログテレビ放送信号の切り換えを自動で行うことができるので、手動で切り換えるようにした場合に比べて、より使い勝手を向上できる。
（変形例２）
また次に、第１実施形態及び第２実施形態では、送信アンテナから送信されるアナログテレビ放送信号の切り換えは、リモコン送信機等を操作することにより何時でもできるものとして説明したが、例えば、システムの最初の起動時は、試験信号に対応した放送信号を優先的に出力するように構成し、その後は、手動操作に従い出力する放送信号を任意に切り換えることができるようにしてもよい。
【０１１３】
そして、このようにすれば、システムの最初の起動時には、手動操作なしで試験信号に対応した放送信号が送信されるので、送信アンテナの配設位置の最適化作業を速やかに開始することができる。
【０１１４】
またこの場合、システムを再起動する度に、所定の時間だけ試験信号に対応した放送信号を送信し、所定時間経過後は自動的に、通常の放送信号を送信するよう切り変わるように構成してもよい。
【符号の説明】
【０１１５】
１…車載用信号処理装置、３…受信アンテナ、５〜７…伝送ケーブル、８…リモコン送信機、９…車載用信号処理装置、１０…アンテナ部、２０…給電部、３０…再送信機、３２…電源回路、３４…信号分離・電源出力回路、３５…信号処理回路、３６…選局・復調回路、３７…変調回路、３８…制御回路、３９…試験信号生成回路、４０…案内情報付与回路、４１…送信アンテナ、５０…受信装置、５５…テレビ受信機、６０…車両、６１…フロントガラス、６３…天井、６４…ピラー、６５…ダッシュボード、６９…リアガラス、７０…車載アンテナ、８６…分岐回路、８８…検波回路、９０…受信装置、９２…ディスクチェンジャ、９３…ＲＦモジュレータ、９３ａ…ＦＭ変調部、９３ｃ…ＲＦ出力端子、９３ｃ…出力端子、９３ｄ…外部入力端子、９３ｅ…試験信号生成部、９３ｆ…制御部、９３ｇ…操作部、９３ｈ…リモコン入力端子、９４…車載アンテナ、９５…リモコン受信部、９６…伝送ケーブル、９８…リモコン送信機、９９…送信アンテナ。
【図１】
2011082968.tif 000003
【図２】
2011082968.tif 000004
【図３】
2011082968.tif 000005
【図４】
2011082968.tif 000006
【図５】
2011082968.tif 000007
【図６】
2011082968.tif 000008